(57)【要約】      （修正有）【課題】蓄冷器を備えることにより、冷蔵後の飲料缶の長時間の保冷を可能とする、飲料用蓄冷プレートを提供する。【解決手段】飲料用蓄冷プレート１は内部空間１２を有する一つの殻型１０を備え、内部空間には蓄冷器液１４が充填されており、殻型には充填口が設けられており、殻型は第一面１１と第二面１３とを備えており、第一面には第一凹部１５が配置されている。【選択図】図２
0003169454.tif 000002
【実用新案登録請求の範囲】
【請求項１】
内部空間を有する一つの殻型を備えた飲料用蓄冷プレートであって、
前記内部空間には蓄冷液が充填されており、
前記殻型には充填口が設けられており、
前記殻型は第一面と第二面とを備えており、
前記第一面には第一凹部が配置されていることを特徴とする、飲料用蓄冷プレート。
【請求項２】
前記第二面には第二凹部が配置されており、前記第二凹部は前記第一凹部と相対かつ同軸となっていることを特徴とする、請求項１に記載の飲料用蓄冷プレート。
【請求項３】
前記第一凹部の底部に第一凸部が設けられていることを特徴とする、請求項１に記載の飲料用蓄冷プレート。
【請求項４】
前記第一凸部と飲料缶の底部とは同じ形状となっていることを特徴とする、請求項３に記載の飲料用蓄冷プレート。
【請求項５】
前記第一凸部と飲料缶の上部とは同じ形状となっていることを特徴とする、請求項３に記載の飲料用蓄冷プレート。
【請求項６】
前記第二凹部の底部に第二凸部が設けられていることを特徴とする、請求項２に記載の飲料用蓄冷プレート。
【請求項７】
前記第二凸部と飲料缶の底部とは同じ形状となっていることを特徴とする、請求項６に記載の飲料用蓄冷プレート。
【請求項８】
前記第二凸部と飲料缶の上部とは同じ形状となっていることを特徴とする、請求項６に記載の飲料用蓄冷プレート。
【請求項９】
内部空間を有する一つの殻型を備えた飲料用蓄冷プレートであって、
前記内部空間には蓄冷液が充填されており、
前記殻型には充填口が設けられており、
前記殻型は第一面と第二面とを備えており、
前記第一面には複数の第一凹部が配置されていることを特徴とする、飲料用蓄冷プレート。
【請求項１０】
前記第二面には複数の第二凹部が配置されており、前記複数の第二凹部のそれぞれは前記複数の第一凹部のそれぞれと相対かつ同軸となっていることを特徴とする、請求項９に記載の飲料用蓄冷プレート。
【請求項１１】
前記複数の第一凹部は少なくとも二列に構成され、各列には複数の前記第一凹部が配置されており、
前記複数の第二凹部は少なくとも二列に構成され、各列には複数の前記第二凹部が配置されていることを特徴とする、請求項１０に記載の飲料用蓄冷プレート。
【請求項１２】
前記第一凹部の底部に第一凸部が設けられていることを特徴とする、請求項１１に記載の飲料用蓄冷プレート。
【請求項１３】
前記第一凸部と飲料缶の底部とは同じ形状となっていることを特徴とする、請求項１２に記載の飲料用蓄冷プレート。
【請求項１４】
前記第一凸部と飲料缶の上部とは同じ形状となっていることを特徴とする、請求項１２に記載の飲料用蓄冷プレート。
【請求項１５】
前記第二凹部の底部に第二凸部が設けられていることを特徴とする、請求項１１に記載の飲料用蓄冷プレート。
【請求項１６】
前記第二凸部と飲料缶の底部とは同じ形状となっていることを特徴とする、請求項１５に記載の飲料用蓄冷プレート。
【請求項１７】
前記第二凸部と飲料缶の上部とは同じ形状となっていることを特徴とする、請求項１５に記載の飲料用蓄冷プレート。
【請求項１８】
前記第一凹部と前記第二凹部とが同じ深さを有していることを特徴とする、請求項１又は9に記載の飲料用蓄冷プレート。
【請求項１９】
前記第一凹部と前記第二凹部とが異なる深さを有していることを特徴とする、請求項１又は9に記載の飲料用蓄冷プレート。
【考案の詳細な説明】
【技術分野】
【０００１】
本考案は、一種の飲料保冷用の蓄冷材に関する。
【背景技術】
【０００２】
従来の冷蔵飲料、炭酸飲料や酒類などの冷蔵飲料缶は、冷蔵庫等で保冷していた。
【考案の概要】
【考案が解決しようとする課題】
【０００３】
しかし、いったん冷蔵庫等から取り出すと保冷することはできない。一般的に、レストランや食堂などで見受けられるのは、飲料棚に冷蔵後の飲料缶を並べ客に提供するか、または直接、冷蔵後の飲料缶をテーブルに出すかのどちらかであり、長時間の保冷は不可能となっている。さらに、運送中の冷蔵飲料缶においても、現行では適切な保冷方法が定まっていない。
【０００４】
本考案は、このような実状に鑑みてなされたものであり、蓄冷器を備えることにより、冷蔵後の飲料缶の長時間の保冷を可能とする飲料用蓄冷プレートを提供することを目的とする。
【課題を解決するための手段】
【０００５】
上記課題を解決するために、本考案の蓄冷器を備えた飲料用蓄冷プレートは、殻型状となっており、内部空間があり、その空間には蓄冷器の液体が充填されている。また、殻型には充填口がある。第一面と第二面があり、第一凹部は殻型の第一面についている。殻型の第二面には第二凹部がついていて、第一凹部と相対かつ同軸となっている。第一凹部の底部には第一凸部がある。第一凸部は飲料缶の底部と同じ形になっている。あるいは、第一凸部と飲料缶の上部は同じ形になっている。第二凹部には第二凸部がある。第二凸部は飲料缶の底部と同じ形になっている。あるいは、第二凸部と飲料缶の上部は同じ形になっている。
【考案の効果】
【０００６】
本考案に係る飲料用蓄冷プレートによれば、冷蔵後の飲料缶の長時間保冷が可能である。
【図面の簡単な説明】
【０００７】
【図１】本考案に係る飲料用蓄冷プレートの立体図である。
【図２】本考案に係る飲料用蓄冷プレートの第一実施例の断面図である。
【図３】本考案に係る飲料用蓄冷プレートの第二実施例の断面図である。
【図４】本考案に係る飲料用蓄冷プレートの第三実施例の断面図である。
【図５】本考案に係る飲料用蓄冷プレートの正面図である。
【図６】本考案に係る飲料用蓄冷プレートの別の実施例の正面図である。
【図７】本考案に係る飲料用蓄冷プレートのまた別の実施例の正面図である。
【図８】本考案に係る飲料用蓄冷プレートの使用状態図である。
【図９】本考案に係る飲料用蓄冷プレートの使用状態図である。
【図１０】本考案に係る飲料用蓄冷プレートに缶を装填した状態図である。
【図１１】本考案に係る飲料用蓄冷プレートに瓶を装填した状態図である。
【図１２】本考案に係る飲料用蓄冷プレートを積み重ねた状態図である。
【考案を実施するための形態】
【０００８】
以下、本考案の実施形態を、図面を参照して詳細に説明する。図１は本考案に係る飲料用蓄冷プレートの立体図である。また、図２は本考案に係る飲料用蓄冷プレートの第一実施例の断面図である。図１の示すように、飲料缶20を二つの飲料用蓄冷プレート１で、それぞれ上下にかぶせる。飲料用蓄冷プレート１が飲料缶20の上下にかぶさることで、その保冷機能により、飲料缶20の冷度と、保冷効果を持続することができる。
【０００９】
図２の示すように、本考案に係る飲料用蓄冷プレート10は殻型10で形成されていて、内部空間12があり、その内部空間12には蓄冷器液14が充填されている。殻型10は第一面11と第二面13になっていて、殻型10の第一面11には第一凹部15が配置されている。殻型10の第二面13には第二凹部17が配置されていて、第一凹部15と相対かつ同軸となっている。
【００１０】
第一凹部15の底部には第一凸部16があり、第一凸部16は飲料缶20の底部形状となる。第二凹部17の底部には第二凸部19があり、第二凸部19は飲料缶20の上部と同じ形になっている。よって、二つの飲料用蓄冷プレート1をそれぞれ飲料缶20の上下にかぶせることで、第一凹部15は飲料缶20の底部に配置することができ、第一凸部16は飲料缶20の底部形状に適合し、かつ第一凹部15と第一凸部16は飲料缶20の底部に適宜配置することができる。第二凹部17は飲料缶20の上部に配置することができ、第二凸部19は飲料缶20の上部形状に適合し、かつ第二凹部17と第二凸部19は飲料缶20の上部に適宜配置することができる。
【００１１】
また、別の実施例として、第一凸部16は飲料缶20の上部形状となる。そして第二凸部19は飲料缶20の底部形状となる。二つの飲料用蓄冷プレート１をそれぞれ飲料缶20の上下にかぶせるとき、第二凹部17は飲料缶20の底部の固定をし、第二凸部19は飲料缶20の底部形状に適し、かつ第二凹部17と第二凸部19は飲料缶20の底部を適宜配置することができる。第一凹部15は飲料缶20の上部に配置することができ、第一凸部16は飲料缶20の上部の形状と適合している。第一凹部15と第一凸部16は飲料缶20の上部に適宜配置することができる。
【００１２】
第一凹部15と第二凹部17の深度は同様、または異なっている。図２の示すように、第一凹部15と第二凹部17の深度は異なっていてもよい。
【００１３】
以上より、本考案の飲料用蓄冷プレートは実際にある同様のクーラーボッ
クスからの製作が可能で、製造も容易である。また、本考案は容易な折り畳み収納も可能である。
【００１４】
図３は本考案に係る飲料用蓄冷プレートの第二実施例の断面図である。本考案は飲料缶20の上部あるいは底部がどのような形状であろうとも適合される飲料用蓄冷プレートで、第一凹部15と第二凹部17の底部18は平らになっている。
【００１５】
第一凹部15と第二凹部17の深度は同様、または異なっている。図３の示すように、第一凹部15と第二凹部17の深度は異なっていてもよい。
【００１６】
図４は本考案に係る飲料用蓄冷プレートの第三実施例の断面図である。飲料缶の上部と底部の形が同じ時、飲料用蓄冷プレートは単一凹部設計にすることができる。もちろん二辺凹部設計にもできる。図の示すように、本考案は単一凹部設計にすることができる。
【００１７】
図５は本考案に係る飲料用蓄冷プレートの正面図である。殻型10には充填口30がついていて、蓄冷器液14が充填できる。図の示すように、第一凹部15には６つあり、第一凹部15はそれぞれ重なっている部分があり、飲料缶20を設置する六つの凹型空間となる。同様に、第一凹部15と第二凹部17はそれぞれ重なり、各第一凹部15が第二凹部17に同軸上で対応するようになっている。図の示すように、六つの第一凹部15は二列となっていて、必要に応じ、三列ないし多数列設計にすることができる。
【００１８】
本考案は多数列、多数の凹部付き飲料用蓄冷プレート1である。殻型10は内部空間12を形成し、内部空間12には蓄冷器液14が充填されている。殻型10には充填口30がついていて、殻型10は第一面11と第二面13で形成されている。また、多数の第一凹部15が殻型10の第一面11につけられている。殻型10の第二面13には多数の第二凹部17がついていて、それぞれ第一凹部15と相対かつ同軸となっている。第一凹部15は少なくとも二列になっていて、各列には多数の第一凹部15が並んでいる。また、第二凹部17は少なくとも二列あり、各列には多数の第二凹部17が並んでいる。その他の第一凹部15と第二凹部17に関する設計は、上述のとおりであるので、こちらでは割愛する。
【００１９】
図６は本考案に係る飲料用蓄冷プレートの別の実施例の正面図である。本考案は単一の第一凹部と第二凹部の設計ができ、二つの飲料用蓄冷プレートで一つの飲料缶20にかぶせる。もちろん、二つ以上の飲料缶20を置くこ
ともできる。
【００２０】
図７は本考案に係る飲料用蓄冷プレートのまた別の実施例の正面図である。本考案は上記の各実施例の設計の他、プレートに少なくとも一つの溝１５１が設置されていて、蓄冷器の積み重ねを可能とし、冷気を高温部分に移動させることができる。
【００２１】
図８、９は本考案に係る飲料用蓄冷プレートの使用状態図である。図８の示すように、二つの飲料用蓄冷プレート1をそれぞれ飲料缶20の上下に
かぶせると、第一凹部15は飲料缶20の底部に合致、第一凸部16は飲料缶20の底部に適合し、また、第一凹部15と第一凸部16は飲料缶20の底部に適宜かぶさることができる。第二凹部17は飲料缶20の上部に設置することができ、第二凸部19は飲料缶20の上部に適合し、且つ、第二凹部17と第二凸部19は飲料缶20の上部に適宜かぶさることができる。
【００２２】
図９の示すように、二つの飲料用蓄冷プレート1をそれぞれ飲料缶20にかぶせると、飲料用蓄冷プレート1の長方形または正方形の設計により、保温箱40に入れて、保冷時間を延長することができる。
【００２３】
図１０は本考案に係る飲料用蓄冷プレートに缶を装填した状態図である。  本考案に係る飲料用蓄冷プレート10は殻型10で形成されていて、内部空間12があり、その内部空間12には蓄冷器液14が充填されている。殻型10は第一面11と第二面13になっていて、殻型10の第一面11には第一凹部15が配置されている。殻型10の第二面13には第二凹部17が配置されていて、第一凹部15と相対かつ同軸となっている。
【００２４】
第一凹部15の底部には第一凸部16があり、第一凸部16は飲料缶20の底部形状となる。第二凹部17の底部には第二凸部19があり、第二凸部19は飲料缶20の上部と同じ形になっている。よって、二つの飲料用蓄冷プレート1をそれぞれ飲料缶20の上下にかぶせることで、第一凹部15は飲料缶20の底部に配置することができ、第一凸部16は飲料缶20の底部形状に適合し、かつ第一凹部15と第一凸部16は飲料缶20の底部に適宜配置することができる。第二凹部17は飲料缶20の上部に配置することができ、第二凸部19は飲料缶20の上部形状に適合し、かつ第二凹部17と第二凸部19は飲料缶20の上部に適宜配置することができる。
【００２５】
図１１は本考案に係る飲料用蓄冷プレートに瓶を装填した状態図である。本考案に係る飲料用蓄冷プレート１は、瓶を安置することができる。
【００２６】
図１２は本考案に係る飲料用蓄冷プレートを積み重ねた状態図である。本考案は缶または瓶を積み重ねることができる。食事会や宴会などで大量の飲
料が消費されるとき、積み重ね可能な蓄冷装置は使用者にとって大きな助けとなる。参加者が冷蔵飲料を飲むときは、最上部から取り、残っている飲料は、飲料用蓄冷プレートにより引き続き保冷され、温度が上昇することはない。
【００２７】
本考案に係る飲料用蓄冷プレートは、蓄冷器に冷気を充填し、使用時に容易に取り出すことのできる、冷蔵庫のような冷却器が必要である。
【符号の説明】
【００２８】
１…飲料用蓄冷プレート
１０…殻型
１１…一面
１２…内部空間
１３…第二面
１４…蓄冷器液
１５…第一凹部
１５１…溝
１６…第一凸部
１７…第二凹部
１８…底部
１９…第二凸部
２０…飲料缶
２１…飲料瓶
３０…充填口
４０…保温ボックス
【図１】
0003169454.tif 000003
【図２】
0003169454.tif 000004
【図３】
0003169454.tif 000005
【図４】
0003169454.tif 000006
【図５】
0003169454.tif 000007
【図６】
0003169454.tif 000008
【図７】
0003169454.tif 000009
【図８】
0003169454.tif 000010
【図９】
0003169454.tif 000011
【図１０】
0003169454.tif 000012
【図１１】
0003169454.tif 000013
【図１２】
0003169454.tif 000014